(57)【特許請求の範囲】
【請求項１】
原稿を支持する原稿支持面が形成された本体部と、
前記本体部内に設けられ、前記原稿支持面に支持された原稿の画像を読み取る読取部と、
前記本体部に対して揺動軸心周りで揺動可能、かつ昇降可能に連結され、前記原稿支持面を覆う閉鎖位置と、前記原稿支持面を露出させる開放位置とに変位可能な開閉部と、
前記開閉部内に設けられ、シートを所定の搬送経路に沿って搬送し、前記読取部によるシートの画像の読み取りを可能とする搬送部と、
一端部が前記開閉部内に収容される電気部品に接続され、他端部が前記本体部内、又は前記開閉部外に設けられる制御部に接続される配線ケーブルと、を備え、
前記本体部には、前記本体部における前記原稿支持面に隣接する周辺領域に位置し、前記閉鎖位置にある前記開閉部と対向する対向面側から前記本体部内に向けて、前記開閉部から引き出された前記配線ケーブルが引き込まれる導入部と、
前記導入部から引き込まれ、前記本体部内を通過した前記配線ケーブルが引き出される開口部と、が設けられ、
前記開口部に取り付けられ、前記開閉部の揺動及び昇降に追従可能な弛みを確保しつつ前記配線ケーブルを保持する保持部材をさらに備え、
前記保持部材は、前記本体部内で前記弛みを特定方向に案内する第１ガイド部を有し、
前記電気部品は、シートを搬送するための駆動力を発生させるモータ及びシートを検出するセンサの少なくとも一方であり、
前記配線ケーブルは、複数本の被覆電線が束ねられたワイヤハーネスであり、
前記特定方向は、前記揺動軸心と平行であって、前記本体部の前記揺動軸心方向を向く外面側から中央部側に向かう方向であることを特徴とする画像読取装置。
【請求項２】
前記本体部は、前記原稿支持面及び前記対向面と所定の間隔を有して対向する壁面を備え、
前記開口部は、前記壁面における前記導入部に対向する位置に設けられている請求項１記載の画像読取装置。
【請求項３】
前記開口部の周縁には、係合軸心を規定する第１係合部が形成され、
前記保持部材には、前記第１係合部に係合可能な第２係合部が形成され、
前記保持部材は、前記第２係合部が前記第１係合部に係合することにより前記係合軸心周りに揺動可能に前記開口部に取り付けられる請求項１又は２記載の画像読取装置。
【請求項４】
前記開口部の周縁又は前記保持部材には、前記開口部の周縁から離間する方向に弾性変形可能な変形部が形成され、
前記保持部材は、前記係合軸心周りで揺動する途中で、前記変形部を弾性変形させ、前記開口部に取り付けられる位置まで揺動すると、復帰した前記変形部によって逆向きの揺動を規制されるように構成されている請求項３記載の画像読取装置。
【請求項５】
前記保持部材は、前記配線ケーブルを前記制御部に向けて案内する第２ガイド部を有している請求項４記載の画像読取装置。
【請求項６】
前記制御部は、前記係合軸心に直交する第１方向において前記開口部から離間して配置され、
前記第２ガイド部は、前記保持部材が前記開口部に取り付けられた状態で、前記第１方向において前記第２係合部及び前記制御部から離間する位置に形成され、
前記変形部は、前記係合軸心と平行な第２方向に弾性変形可能である請求項５記載の画像読取装置。
【請求項７】
前記変形部は、前記第１方向において前記第１係合部から離間する位置に形成されている請求項４乃至６のいずれか１項記載の画像読取装置。
【請求項８】
前記係合軸心は、前記揺動軸心と平行であり、
前記開口部及び前記制御部は、前記本体部の前記揺動軸心方向を向く外面側に位置している請求項３乃至７のいずれか１項記載の画像読取装置。
【請求項９】
前記第１ガイド部には、前記配線ケーブルが前記開閉部側に持ち上がることを規制する規制部が形成されている請求項１乃至８のいずれか１項記載の画像読取装置。
【請求項１０】
原稿を支持する原稿支持面が形成された本体部と、
前記本体部内に設けられ、前記原稿支持面に支持された原稿の画像を読み取る読取部と、
前記本体部に対して揺動軸心周りで揺動可能、かつ昇降可能に連結され、前記原稿支持面を覆う閉鎖位置と、前記原稿支持面を露出させる開放位置とに変位可能な開閉部と、
前記開閉部内に設けられ、シートを所定の搬送経路に沿って搬送し、前記読取部によるシートの画像の読み取りを可能とする搬送部と、
一端部が前記開閉部内に収容される電気部品に接続され、他端部が前記本体部内、又は前記開閉部外に設けられる制御部に接続される配線ケーブルと、を備え、
前記本体部には、前記本体部における前記原稿支持面に隣接する周辺領域に位置し、前記閉鎖位置にある前記開閉部と対向する対向面側から前記本体部内に向けて、前記開閉部から引き出された前記配線ケーブルが引き込まれる導入部と、
前記導入部から引き込まれ、前記本体部内を通過した前記配線ケーブルが引き出される開口部と、が設けられ、
前記開口部に取り付けられ、前記開閉部の揺動及び昇降に追従可能な弛みを確保しつつ前記配線ケーブルを保持する保持部材をさらに備え、
前記保持部材は、前記本体部内で前記弛みを特定方向に案内する第１ガイド部を有している画像読取装置の製造方法であって、
前記開閉部が前記閉鎖位置にある状態で、前記保持部材を前記開口部から離間する位置で前記本体部に対して位置決めする第１工程と、
前記本体部に対して位置決めされた前記保持部材に、前記弛みが無い状態で前記配線ケーブルを保持させる第２工程と、
前記配線ケーブルを保持する前記保持部材を前記開口部に取り付けて前記弛みを確保する第３工程と、を備えていることを特徴とする画像読取装置の製造方法。
【請求項１１】
前記第１工程では、前記保持部材と前記本体部との間に治具を介在させた状態で、前記保持部材を前記本体部に対して位置決めし、
前記第２工程では、前記保持部材に前記配線ケーブルを保持させた後、前記治具を取り除く請求項１０記載の画像読取装置の製造方法。
【請求項１２】
プラテンガラスを支持する本体部と、
前記本体部内に設けられ、前記プラテンガラスを介してシートの画像を読み取る読取部と、
前記本体部に対して揺動軸心周りで揺動可能、かつ昇降可能に連結され、前記プラテンガラスを覆う閉鎖位置と、前記プラテンガラスを露出させる開放位置とに変位可能な開閉部と、
前記本体部内及び前記開閉部内の少なくとも一方に設けられ、シートを所定の搬送経路に沿って搬送し、前記読取部によるシートの画像の読み取りを可能とする搬送部と、
一端部が前記開閉部内に収容される電気部品に接続され、他端部が前記本体部内に設けられる制御部に接続される配線ケーブルと、を備え、
前記本体部には、前記本体部における前記プラテンガラスに隣接する周辺領域に位置し、前記閉鎖位置にある前記開閉部と対向する対向面側から前記本体部内に向けて、前記開閉部から引き出された前記配線ケーブルが引き込まれる導入部と、
前記導入部から引き込まれ、前記本体部内を通過した前記配線ケーブルが引き出される開口部と、が設けられ、
前記開口部に取り付けられ、前記開閉部の揺動及び昇降に追従可能な弛みを確保しつつ前記配線ケーブルを保持する保持部材をさらに備え、
前記保持部材は、前記本体部内で前記弛みを特定方向に案内する第１ガイド部を有し、
前記電気部品は、シートを搬送するための駆動力を発生させるモータ及びシートを検出するセンサの少なくとも一方であり、
前記配線ケーブルは、複数本の被覆電線が束ねられたワイヤハーネスであり、
前記特定方向は、前記揺動軸心と平行であって、前記本体部の前記揺動軸心方向を向く外面側から中央部側に向かう方向であることを特徴とする画像読取装置。
【発明の詳細な説明】
【技術分野】
【０００１】
本発明は、画像読取装置と、画像読取装置の製造方法とに関する。
【背景技術】
【０００２】
特許文献１に従来の画像読取装置の例が開示されている。この画像読取装置は、本体部と読取部と開閉部と搬送部と配線ケーブルとを備えている。
【０００３】
本体部には、原稿を支持する原稿支持面が形成されている。読取部は、本体部内に設けられている。読取部は、原稿支持面に支持された原稿の画像を読み取る。開閉部は、本体部に対して揺動軸心周りで揺動可能、かつ昇降可能に連結されている。開閉部は、原稿支持面を覆う閉鎖位置と、原稿支持面を露出させる開放位置とに変位可能である。搬送部は、開閉部内に設けられている。搬送部は、シートを所定の搬送経路に沿って搬送し、読取部によるシートの画像の読み取りを可能とする。配線ケーブルは、一端部が開閉部内に収容される電気部品に接続されている。また、配線ケーブルは、他端部が本体部内を経由し、本体部に対して下側に位置する画像形成部内に引き込まれ、画像形成部内に設けられる制御部に接続されている。
【０００４】
本体部の背面側には、導入部と保持部材とが設けられている。導入部は、本体部の背面側から本体部内に向かって凹んでいる。導入部には、開閉部から引き出された配線ケーブルが引き込まれる。保持部材は、本体部の背面側から導入部に取り付けられている。そして、保持部材は、本体部の背面に装着されるカバーに覆われている。この画像読取装置では、保持部材によって、本体部の背面側で配線ケーブルに弛みを確保し、開閉部の揺動及び昇降に配線ケーブルを追従させるようになっている。
【先行技術文献】
【特許文献】
【０００５】
【特許文献１】特開２０１１−２３４０３０号公報
【発明の概要】
【発明が解決しようとする課題】
【０００６】
ところで、上記従来の画像読取装置では、配線ケーブルの弛みが本体部の背面側に露出している。また、導入部に装着された保持部材を隠すカバーが本体部の背面に組み付けられる。このため、この画像読取装置では、本体部の背面側が煩雑化し、外観を損ねるという問題がある。そこで、この種の画像読取装置では、外観品位の向上のため、配線ケーブルの弛みを導入部内に収容することが考えられる。しかしながら、この場合、配線ケーブルの導入部内での弛みの程度がばらつくことで、別の問題が生じる可能性がある。具体的には、配線ケーブルの弛みが小さすぎた場合には、開閉部を操作した際に配線ケーブルが延び切った状態となり、開閉部の揺動及び昇降を妨げる不具合が生じ易くなる。その一方、配線ケーブルの弛みが大きすぎた場合には、開閉部を操作した際に配線ケーブルが開閉部と本体部とに挟まれる不具合が生じ易くなる。その結果、開閉部の揺動及び昇降に配線ケーブルを好適に追従させることが難しくなるおそれがある。
【０００７】
本発明は、上記従来の実情に鑑みてなされたものであって、外観品位の向上を実現できるとともに、開閉部の揺動及び昇降に配線ケーブルを好適に追従させることができる画像読取装置及びその製造方法を提供することを目的とする。
【課題を解決するための手段】
【０００８】
本発明の画像読取装置は、原稿を支持する原稿支持面が形成された本体部と、
前記本体部内に設けられ、前記原稿支持面に支持された原稿の画像を読み取る読取部と、
前記本体部に対して揺動軸心周りで揺動可能、かつ昇降可能に連結され、前記原稿支持面を覆う閉鎖位置と、前記原稿支持面を露出させる開放位置とに変位可能な開閉部と、
前記開閉部内に設けられ、シートを所定の搬送経路に沿って搬送し、前記読取部によるシートの画像の読み取りを可能とする搬送部と、
一端部が前記開閉部内に収容される電気部品に接続され、他端部が前記本体部内、又は前記開閉部外に設けられる制御部に接続される配線ケーブルと、を備え、
前記本体部には、前記本体部における前記原稿支持面に隣接する周辺領域に位置し、前記閉鎖位置にある前記開閉部と対向する対向面側から前記本体部内に向けて、前記開閉部から引き出された前記配線ケーブルが引き込まれる導入部と、
前記導入部から引き込まれ、前記本体部内を通過した前記配線ケーブルが引き出される開口部と、が設けられ、
前記開口部に取り付けられ、前記開閉部の揺動及び昇降に追従可能な弛みを確保しつつ前記配線ケーブルを保持する保持部材をさらに備え、
前記保持部材は、前記本体部内で前記弛みを特定方向に案内する第１ガイド部を有していることを特徴とする。
【０００９】
本発明の画像読取装置では、配線ケーブルの弛みが本体部内に収容され、本体部の背面側に露出しない。このため、配線ケーブルが装置の外観を損ねることを抑制できる。
【００１０】
また、この画像読取装置では、開閉部から引き出された配線ケーブルが導入部から引き込まれ、本体部内を通過して、開口部から引き出される。そして、保持部材は、開閉部の揺動及び昇降に追従可能な弛みを確保した状態で配線ケーブルを保持し、開口部に取り付けられる。また、保持部材の第１ガイド部によって、本体部内で配線ケーブルの弛みが特定方向に案内される。このため、配線ケーブルは予め定められた適量の弛みが確保された状態で、保持部材を介して開口部から引き出されるので、この画像読取装置では、弛みが小さすぎて配線ケーブルが延び切った状態となって開閉部の揺動及び昇降を妨げる不具合や、弛みが大きすぎて配線ケーブルが開閉部と本体部とに挟まれる不具合が生じ難い。また、第１ガイド部によって本体部内において配線ケーブルが特定方向に案内されることにより、本体部内で配線ケーブルが捻じれたり、屈曲したりする不具合の発生を抑制できる。
【００１１】
したがって、本発明の画像読取装置では、外観品位の向上を実現できるとともに、開閉部の揺動及び昇降に配線ケーブルを好適に追従させることができる。
【００１２】
本発明の画像読取装置の製造方法は、原稿を支持する原稿支持面が形成された本体部と、
前記本体部内に設けられ、前記原稿支持面に支持された原稿の画像を読み取る読取部と、
前記本体部に対して揺動軸心周りで揺動可能、かつ昇降可能に連結され、前記原稿支持面を覆う閉鎖位置と、前記原稿支持面を露出させる開放位置とに変位可能な開閉部と、
前記開閉部内に設けられ、シートを所定の搬送経路に沿って搬送し、前記読取部によるシートの画像の読み取りを可能とする搬送部と、
一端部が前記開閉部内に収容される電気部品に接続され、他端部が前記本体部内、又は前記開閉部外に設けられる制御部に接続される配線ケーブルと、を備え、
前記本体部には、前記本体部における前記原稿支持面に隣接する周辺領域に位置し、前記閉鎖位置にある前記開閉部と対向する対向面側から前記本体部内に向けて、前記開閉部から引き出された前記配線ケーブルが引き込まれる導入部と、
前記導入部から引き込まれ、前記本体部内を通過した前記配線ケーブルが引き出される開口部と、が設けられ、
前記開口部に取り付けられ、前記開閉部の揺動及び昇降に追従可能な弛みを確保しつつ前記配線ケーブルを保持する保持部材をさらに備え、
前記保持部材は、前記本体部内で前記弛みを特定方向に案内する第１ガイド部を有している画像読取装置の製造方法であって、
前記開閉部が前記閉鎖位置にある状態で、前記保持部材を前記開口部から離間する位置で前記本体部に対して位置決めする第１工程と、
前記本体部に対して位置決めされた前記保持部材に、前記弛みが無い状態で前記配線ケーブルを保持させる第２工程と、
前記配線ケーブルを保持する前記保持部材を前記開口部に取り付けて前記弛みを確保する第３工程と、を備えていることを特徴とする。
【００１３】
本発明の画像読取装置の製造方法によれば、第１工程において、開閉部が閉鎖位置にある状態で作業が可能となることにより、配線ケーブルの開閉部から引き出される部位と本体部との相対位置関係が変動し難い。よって、第１工程において、配線ケーブルの開閉部から引き出される部位と、本体部に対して位置決めされた保持部材との相対位置関係もばらつき難い。そして、第２工程において、本体部に対して位置決めされた保持部材に、弛みが無い状態の配線ケーブルを保持させることにより、配線ケーブルの特定の部位を精度良く保持部材に保持させることができる。このため、続く第３工程において、配線ケーブルを保持する保持部材を開口部に取り付けて配線ケーブルの弛みを確保する際に、本体部内で配線ケーブルの弛みを精度良く確保できる。その結果、この製造方法によって得られた画像読取装置では、配線ケーブルの弛み量を予め定められた適量に確保できるため、弛みが小さすぎて配線ケーブルが延び切った状態となって開閉部の揺動及び昇降を妨げる不具合や、弛みが大きすぎて配線ケーブルが開閉部と本体部とに挟まれる不具合が生じ難い。
【００１４】
また、この製造方法によって得られた画像読取装置では、上記従来技術と異なり、配線ケーブルの弛み及び保持部材が本体部の背面側に露出しない。このため、配線ケーブルが装置の外観を損ねることを抑制できる。
【００１５】
したがって、本発明の画像読取装置の製造方法によれば、外観品位の向上を実現できるとともに、開閉部の揺動及び昇降に配線ケーブルを好適に追従させることができる。
【図面の簡単な説明】
【００１６】
【図１】実施例の画像読取装置を前方から見た斜視図である。
【図２】実施例の画像読取装置の模式正面図である。
【図３】実施例の画像読取装置を後方から見た斜視図である。
【図４】開閉部が開放位置にある状態における導入部及び配線ケーブルを主に示す部分斜視図である。
【図５】開閉部が閉鎖位置から上昇した状態における導入部及び配線ケーブルを主に示す部分斜視図である。
【図６】開閉部が閉鎖位置から上昇した状態における導入部及び配線ケーブルを主に示す部分側面図である。
【図７】本体部のスキャナベース、保持部材及び配線ケーブルを示す部分斜視図である。
【図８】本体部のスキャナベース、保持部材及び配線ケーブルを拡大して示す部分斜視図である。
【図９】本体部のスキャナベース、保持部材及び配線ケーブルを拡大して示す部分斜視図である。
【図１０】図８から保持部材及び配線ケーブルを取り外した状態を示す部分斜視図である。
【図１１】図９から保持部材及び配線ケーブルを取り外した状態を示す部分斜視図である。
【図１２】保持部材を示す斜視図である。
【図１３】保持部材を示す斜視図である。
【図１４】治具を示す斜視図である。
【図１５】第１工程を説明する部分側面図である。
【図１６】第１工程を説明する部分下面図である。
【図１７】第２工程を説明する部分側面図である。
【図１８】第３工程を説明する部分側面図である。
【図１９】本発明の画像読取装置の一例であるドキュメントスキャナを示す模式側面図である。
【発明を実施するための形態】
【００１７】
以下、本発明を具体化した実施例を図面を参照しつつ説明する。
【００１８】
（実施例）
図１に示すように、実施例の画像読取装置１は、本発明の画像読取装置の具体的態様の一例である。図１では、操作パネル８Ｐが設けられた側を装置の前側と規定し、操作パネル８Ｐに向かった場合に左手に来る側を左側と規定して、前後、左右及び上下の各方向を表示する。そして、図２以降の各図に示す各方向は、全て図１に示す各方向に対応させて表示する。以下、図１等に基づいて、画像読取装置１が備える各構成要素について説明する。
【００１９】
＜全体構成＞
図１〜図６に示すように、画像読取装置１は、記録部７、本体部８、開閉部９、画像形成ユニット５、読取ユニット３、搬送部４及び制御部Ｃ１を備えている。記録部７及び本体部８はそれぞれ、扁平な略箱状体である。本体部８は、記録部７の上側に載置されている。図１に示すように、本体部８の前面には、タッチパネル等である操作パネル８Ｐが設けられている。
【００２０】
図２に示すように、画像形成ユニット５は、記録部７内に収容されている。画像形成ユニット５は、インクジェット方式又はレーザ方式等によりシートに画像を形成する。読取ユニット３は、本体部８内に収容されている。読取ユニット３は、原稿の画像を読み取る際に使用される。
【００２１】
搬送部４は、開閉部９に設けられている。搬送部４は、複数枚のシートＳＨを搬送経路Ｐ１に沿って順次搬送しながら、シートＳＨの画像を読取ユニット３に読み取らせる際に使用される。図２及び図６に示すように、制御部Ｃ１は、記録部７内に収容されている。制御部Ｃ１は、本体部８の左側を向く外面に対して下側に位置し、記録部７の左側を向く外面に沿って配置されている。制御部Ｃ１は、画像形成ユニット５、読取ユニット３、搬送部４等と電気的に接続されて、それらを制御する。
【００２２】
図２及び図４に示すように、本体部８の上面には、プラテンガラス８１が配設されている。本体部８は、図４〜図６等に示すスキャナフレーム８９と、図６及び図７等に示すスキャナベース８５とを有している。スキャナフレーム８９及びスキャナベース８５は、樹脂製である。枠形状のスキャナフレーム８９と、上方が開放された浅い箱形状のスキャナベース８５とがプラテンガラス８１の周縁を挟持しつつ結合されることにより、プラテンガラス８１が本体部８の上面に保持される。
【００２３】
図４に部分的に示すように、スキャナフレーム８９には、第１開口８９Ａと第２開口８９Ｂとが形成されている。第１開口８９Ａは、前後方向及び左右方向に延在する大面積の矩形状の開口である。第２開口８９Ｂは、第１開口８９Ａに対して左側に位置している。第２開口８９Ｂは、前後方向に長く延在し、かつ左右方向に短く延在する細長い矩形状の開口である。
【００２４】
プラテンガラス８１の第１開口８９Ａから露出する上面によって、原稿支持面８１Ａが形成されている。原稿支持面８１Ａは、静止した状態の原稿の画像を読取ユニット３が読み取る際に、その原稿を下側から支持する。読取対象の原稿には、用紙、ＯＨＰシート等であるシートの他、書籍等が含まれる。
【００２５】
プラテンガラス８１の第２開口８９Ｂから露出する上面によって、読取面８２Ａが形成されている。読取面８２Ａは、搬送部４によって１枚ずつ搬送されるシートＳＨの画像を読取ユニット３が読み取る際に、その搬送されるシートＳＨを下側から案内する。
【００２６】
図１及び図３〜図６に示すように、開閉部９は、本体部８に対して揺動軸心Ｘ９周りで揺動可能、かつ昇降可能に連結されている。より詳しくは、図３〜図６に示すように、本体部８と開閉部９との間には、左右一対のヒンジ５０、５０が設けられている。ヒンジ５０は、取付部５５と直動部５１とが一体成形された樹脂製部材である。取付部５５は、開閉部９に設けられた図示しない軸部を揺動軸心Ｘ９周りで揺動可能に支持する。揺動軸心Ｘ９は、本体部８の背面側で左右方向に延びている。直動部５１は、取付部５５の下面に接続し、略角柱状をなして下向きに延びている。
【００２７】
図３、図５及び図７に示すように、本体部８には、左右一対の収容部５９、５９が設けられている。収容部５９、５９は、スキャナベース８５の後端縁側の左右２箇所から下向きに凹んでいる。左右の直動部５１は、左右の収容部５９、５９に上下動可能に挿通されている。図５及び図６に示すように、直動部５１が収容部５９内で上下動することにより、取付部５５及び揺動軸心Ｘ９も上下動する。
【００２８】
開閉部９は、図１に実線で示すように、閉じた状態では、原稿支持面８１Ａを上方から覆っている。図１に実線で示す開閉部９の位置を閉鎖位置とする。図２及び図３も閉鎖位置にある開閉部９を示している。
【００２９】
開閉部９は、図１に二点鎖線で示すように、その前端部側が上方かつ後方に変位するように揺動軸心Ｘ９周りで揺動することにより、原稿支持面８１Ａを露出させる。これにより、ユーザは読取対象の原稿を原稿支持面８１Ａに支持させることができる。開閉部９が原稿支持面８１Ａを露出させていれば、その開閉部９の本体部８に対する揺動角度にかかわらず、その開閉部９の位置を開放位置とする。図１に二点鎖線で示す開閉部９の位置は、開放位置の一例である。図４も開放位置にある開閉部９を示している。
【００３０】
図１〜図３に示すように、開閉部９は、原稿支持面８１Ａに読取対象の原稿が支持された状態で閉鎖位置に移動することにより、その原稿を上側から覆う。原稿が厚い書籍等であれば、図５及び図６に示すように、ヒンジ５０の直動部５１が揺動軸心Ｘ９とともに収容部５９内で上昇した状態で、開閉部９が閉鎖位置に向けて揺動し、閉鎖位置に近い状態で、その厚い原稿を上側から覆う。
【００３１】
図２に示すように、読取ユニット３は、読取センサ３Ｓ及び図示しない走査機構を有している。読取センサ３Ｓは、本発明の「読取部」の一例である。読取センサ３Ｓ及び図示しない走査機構は、本体部８を構成するスキャナフレーム８９、スキャナベース８５及びプラテンガラス８１によって区画された空間内に収容されている。読取センサ３Ｓは、走査機構によって、本体部８内における原稿支持面８１Ａ及び読取面８２Ａの下側で左右方向に往復動する。読取センサ３Ｓが読取面８２Ａの下側で停止する位置は、固定読取位置である。読取センサ３Ｓとしては、ＣＩＳ（Ｃｏｎｔａｃｔ  Ｉｍａｇｅ  Ｓｅｎｓｏｒ）やＣＣＤ（Ｃｈａｒｇｅ  Ｃｏｕｐｌｅｄ  Ｄｅｖｉｃｅ）等の周知の画像読取センサが採用される。
【００３２】
図２に示すように、搬送部４は、開閉部９内に設けられている。搬送部４は、供給部９１、排出部９２、モータ４Ｍ、センサ４Ｓ、ワイヤハーネスＷ１、図示しない搬送ローラ等を有している。ワイヤハーネスＷ１は、本発明の「配線ケーブル」の一例である。モータ４Ｍ及びセンサ４Ｓは、本発明の「電気部品」の一例である。
【００３３】
供給部９１と排出部９２とは、図１に示す閉じた状態のカバー９Ｃを図２に示すように展開することによって、開閉部９の右側部分に形成される。排出部９２は、供給部９１よりも上側に位置する。
【００３４】
モータ４Ｍは、シートＳＨを搬送経路Ｐ１に沿って搬送するための駆動力を発生させ、図示しない搬送ローラ等を回転駆動する。センサ４Ｓは、シートＳＨが特定の位置に存在するか否かを検出する。
【００３５】
ワイヤハーネスＷ１は、複数本の被覆電線が束ねられたワイヤハーネスである。ワイヤハーネスＷ１の一端部Ｗ１Ａは、モータ４Ｍ及びセンサ４Ｓに接続されている。図２及び図６に示すように、ワイヤハーネスＷ１は、開閉部９から引き出された後、本体部８内を経由し、その他端部Ｗ１Ｂが記録部７内に設けられる制御部Ｃ１に接続されている。
【００３６】
供給部９１は、搬送部４によって搬送される読取対象のシートＳＨを下側から支持する。搬送部４は、制御部Ｃ１に制御されてモータ４Ｍ、センサ４Ｓ等が作動することにより、供給部９１に支持されたシートＳＨを１枚ずつ分離し、搬送経路Ｐ１に沿って順次搬送する。排出部９２には、読取センサ３Ｓによって画像が読み取られ、搬送部４によって搬送されたシートＳＨが排出される。
【００３７】
＜画像読取動作＞
この画像読取装置１では、原稿支持面８１Ａに支持された原稿の画像を読み取る場合、読取ユニット３において図示しない走査機構が作動し、読取センサ３Ｓを原稿支持面８１Ａの左端縁の下側から右端縁の下側までの間で左右方向に移動させる。これにより、読取センサ３Ｓは、原稿支持面８１Ａに支持された原稿の画像を読み取る。その後、図示しない走査機構は、読み取りを終えた読取センサ３Ｓを読取ユニット３内における右端側から左端側に移動させ、元の位置に復帰させる。
【００３８】
また、この画像読取装置１では、供給部９１上のシートＳＨの画像を読み取る場合、読取ユニット３において、図示しない走査機構が作動し、読取センサ３Ｓを読取面８２Ａの下側の固定読取位置に停止させる。そして、搬送部４が供給部９１上のシートＳＨを搬送経路Ｐ１に沿って順次搬送すると、そのシートＳＨが読取面８２Ａに接触しながら固定読取位置にある読取センサ３Ｓの上側を通過するので、読取センサ３Ｓは、その通過するシートＳＨの画像を読み取る。搬送部４は、画像が読み取られたシートＳＨを順次排出部９２に搬送し、先に排出部９２に搬送されたシートＳＨの下側に次のシートＳＨを潜り込ませるようにして、それらのシートＳＨを排出部９２に積載する。
【００３９】
＜ワイヤハーネス、導入部、収容部、開口部及び保持部材の具体的構成及び組付工程＞
実施例の画像読取装置１において、ワイヤハーネスＷ１は、以下のようにして、開閉部９から引き出された後、本体部８内を経由して制御部Ｃ１に接続される。
【００４０】
図４に示すように、ワイヤハーネスＷ１は、開閉部９の底面９Ｂに形成された引き出し口９Ｈから引き出されている。引き出し口９Ｈは、揺動軸心Ｘ９の近傍、かつ開閉部９の左側を向く外面の近傍に位置するように配設されている。引き出し口９Ｈは、開閉部９の左側を向く外面側から開閉部９の中央部側に向かって右向きに開口している。
【００４１】
図４〜図１３に示すように、本体部８には、導入部１５０と収容部１６０と開口部１７０と保持部材１００とが設けられている。
【００４２】
図４及び図５に示すように、導入部１５０は、本体部８における原稿支持面８１Ａの周縁を外側から囲む領域のうち、揺動軸心Ｘ９側から原稿支持面８１Ａに隣接する周辺領域Ｅ１に位置している。
【００４３】
より詳しくは、スキャナフレーム８９の原稿支持面８１Ａを囲む上面は、閉鎖位置にある開閉部９の底面９Ｂと対向する対向面８９Ｔとされている。対向面８９Ｔの後側かつ左側の角部に形成された開口が導入部１５０である。導入部１５０の周縁から下向きの凹み形状が設けられ、その凹み形状を形成している略角筒状の壁が内壁８９Ｗである。内壁８９Ｗによって形成されるスペースが後述する収容部１６０である。収容部１６０は、本体部８内に位置している。
【００４４】
図１０及び図１１に示すように、スキャナベース８５は、原稿支持面８１Ａに下側から対向し、かつ前後方向及び左右方向に延在する底壁８５Ｂを有している。底壁８５Ｂの後側かつ左側の角部であって、内壁８９Ｗに対して下側に位置する部位が内壁８５Ｗである。
【００４５】
図６〜図１１に示すように、開口部１７０は、内壁８５Ｗにおける導入部１５０と対向する位置に設けられている。その内壁８５Ｗの角部が切り欠かれることにより、内壁８５Ｗに開口している空間が開口部１７０である。開口部１７０と導入部１５０とは、上下方向で連通している。具体的には、導入部１５０から下向きに延びる内壁８９Ｗによって収容部１６０が形成され、収容部１６０は、導入部１５０と開口部１７０とを連通させる通路を規定している。
【００４６】
図１０に示すように、開口部１７０の前側で左右方向に延びる周縁１７０Ｅには、第１係合部１７１が形成されている。第１係合部１７１は、周縁１７０Ｅから後側に離間する位置で左右方向に延びて係合軸心Ｘ１７１を規定する略円柱軸体と、その円柱軸体と周縁１７０Ｅとを接続する略板状の接続部とからなる。係合軸心Ｘ１７１は、揺動軸心Ｘ９と略平行である。
【００４７】
開口部１７０は、本体部８の左側を向く外面側に位置している。図６に示すように、開口部１７０は、記録部７の左側を向く外面側に位置する制御部Ｃ１に対して上側、かつ後側に位置している。換言すると、制御部Ｃ１は、係合軸心Ｘ１７１に略直交する前後方向において開口部１７０から離間して配置されている。係合軸心Ｘ１７１に略直交する前後方向は、本発明の「第１方向」の一例である。
【００４８】
図１０及び図１１に示すように、開口部１７０において、周縁１７０Ｅの右端に接続して後側に延びる周縁１７０Ｆには、第１係合部１７１から後側に離間する位置に、変形部１８０が形成されている。変形部１８０は、周縁１７０Ｆから左側かつ後側に突出し、さらに下側に突出している。図１１に示すように、変形部１８０の左側面には、傾斜面１８０Ｓと嵌合部１８０Ｒが形成されている。嵌合１８０Ｒは、傾斜面１８０Ｓの上側で右向きに凹んでいる。変形部１８０は、周縁１７０Ｆとの接続部位が細くなっていることから、係合軸心Ｘ１７１と略平行な左右方向に弾性変形可能である。係合軸心Ｘ１７１と略平行な左右方向は、本発明の「第２方向」の一例である。
【００４９】
図８、図９、図１２及び図１３に示すように、保持部材１００は、開口部１７０に取り付け可能に構成された樹脂成形品である。なお、保持部材１００の構成についての以下の説明では、前後方向、左右方向及び上下方向は、保持部材１００が開口部１７０に取り付けられた状態を基準とする。
【００５０】
図１２及び図１３に示すように、保持部材１００は、前後方向に細長い平板形状とされている。保持部材１００の前端側には、突出部１０９が形成されている。突出部１０９は、保持部材１００の前端側から上向きに突出しつつ湾曲して前方に延びている。保持部材１００の後端側は、下向きに湾曲している。
【００５１】
保持部材１００には、第２係合部１０２と第３係合部１０３とが形成されている。第２係合部１０２は、保持部材１００の前端側と突出部１０９との間で後向きに凹み、かつ左右方向に延びる凹部である。第３係合部１０３は、保持部材１００の後端側、かつ右側の角部から後向きに突設された突起である。
【００５２】
図８及び図９に示すように、第２係合部１０２は、第１係合部１７１に係合可能である。第３係合部１０３は、変形部１８０の嵌合部１８０Ｒに嵌合可能である。図１８に示すように、第２係合部１０２が第１係合部１７１に係合する状態で、保持部材１００は、係合軸心Ｘ１７１周りで揺動可能である。保持部材１００が図１８に二点鎖線で示す位置から開口部１７０に接近するように係合軸心Ｘ１７１周りで揺動し、図１８に破線で示す位置に到達することにより、保持部材１００が開口部１７０に取り付けられる。この際、保持部材１００が係合軸心Ｘ１７１周りで揺動する途中で、第３係合部１０３が変形部１８０の傾斜面１８０Ｓに摺接して変形部１８０を右向きに弾性変形させる。そして、図８及び図９に示すように、保持部材１００が開口部１７０に取り付けられる位置まで揺動すると、第３係合部１０３が傾斜面１８０Ｓから離間して嵌合部１８０と嵌合するので、変形部１８０が元の位置に復帰する。こうして、保持部材１００は、復帰した変形部１８０によって逆向きの揺動を規制されるので、開口部１７０から外れ難い。なお、変形部１８０をユーザが直接弾性変形させて、第３係合部１０３を嵌合部１８０から離間させることにより、保持部材１００を開口部１７０から取り外すことができる。
【００５３】
図１２及び図１３に示すように、保持部材１００は、第１ガイド部１１０と第２ガイド部１２０とを有している。
【００５４】
第１ガイド部１１０は、保持部材１００に突設された凸部１１１、１１２、１１３を含んでいる。凸部１１１は、突出部１０９の前向きに延びる部位の上面から上向きに突出し、かつ左右方向に板状に延びている。凸部１１１の上端側には、規制部１１９が形成されている。規制部１１９は、凸部１１１の上端側から右側かつ後側に略板状に突出している。凸部１１２は、突出部１０９の上向きに延びる部位に接続しつつ上向きに角柱状に突出している。凸部１１３は、凸部１１２よりも後側、かつ保持部材１００の左端縁に隣接する位置から上向きに角柱状に突出している。
【００５５】
第２ガイド部１２０は、保持部材１００の後端側、かつ右側の角部から上向きに角柱状に突出している。第２ガイド部１２０の上端側は、左向きに屈曲している。図６及び図８に示すように、第２ガイド部１２０は、保持部材１００が開口部１７０に取り付けられた状態で、第２係合部１０２及び制御部Ｃ１から後側に離間する位置に形成されている。
【００５６】
図４に示すように、開閉部９の引き出し口９Ｈから引き出されたワイヤハーネスＷ１は、導入部１５０に引き込まれる。図８に示すように、開口部１７０に取り付けられた保持部材１００は、開閉部９の揺動及び昇降に追従可能な弛みＷ１Ｓを確保しつつワイヤハーネスＷ１を保持する。より詳しくは、ワイヤハーネスＷ１における弛みＷ１Ｓより下側の部位を第１ガイド部１１０の凸部１１１と凸部１１２とによって前後方向から挟むとともに、突出部１０９と規制部１１９とによって上下方向から挟む。規制部１１９は、ワイヤハーネスＷ１が開閉部９側に持ち上がることを規制する。そして、ワイヤハーネスＷ１を凸部１１２に沿って後向きに折れ曲がった状態とし、その後向きに延びる部位を第１ガイド部１１０の凸部１１２と凸部１１３とによって左右方向から挟む。
【００５７】
こうして、第１ガイド部１１０は、ワイヤハーネスＷ１における弛みＷ１Ｓより下側の部位を確実に保持する。そして、第１ガイド部１１０は、導入部１５０内でワイヤハーネスＷ１の弛みＷ１Ｓを特定方向Ｄ１に案内する。特定方向Ｄ１は、揺動軸心Ｘ９と略平行であって、本体部８の左側を向く外面側から中央部側に向かう方向である。
【００５８】
図６〜図９に示すように、第２ガイド部１２０は、保持部材１００の下向きに湾曲する後端側とともにワイヤハーネスＷ１を保持し、ワイヤハーネスＷ１が延びる向きを下向きに変更する。これにより、導入部１５０から引き込まれて収容部１６０を通過したワイヤハーネスＷ１は、開口部１７０から引き出されて、制御部Ｃ１に向けて案内される。
【００５９】
次に、導入部１５０から引き込まれるワイヤハーネスＷ１に、収容部１６０内で弛みＷ１Ｓを精度良く確保するための組付工程について説明する。実施例の画像読取装置１の製造方法では、図１４に示す治具１９０を用いる。そして、この製造方法は、開閉部９が本体部８に連結された状態であって、本体部８が記録部７に組み付けられる前の段階で実施される。この製造方法は、図１５〜図１８に示す第１工程と第２工程と第３工程とを備えている。
【００６０】
図１４に示すように、治具１９０は、基準穴１９０Ａと基準端縁１９０Ｂと位置決め部１９１とを有している。治具１９０は、例えば、要求される寸法精度に応じた寸法安定性を有する樹脂や金属等の各種材料から製造される。図１１に示すように、スキャナベース８５の底壁８５Ｂの裏面８５Ｒには、ボス１９９Ａと段部１９９Ｂとが形成されている。
【００６１】
＜第１工程＞
図１５に示すように、第１工程では、本体部８に連結された開閉部９を閉鎖位置に維持する。つまり、原稿支持面８１Ａに原稿がない状態で、開閉部９の底面９Ｂが本体部８側の原稿支持面８１Ａ及び対向面８９Ｔに当接する状態とする。これにより、開閉部９と本体部８との相対位置関係が変動し難くなる。
【００６２】
次に、図１５及び図１６に示すように、治具１９０をスキャナベース８５の底壁８５Ｂの裏面８５Ｒに装着する。この際、図１６に示すように、治具１９０の基準穴１９０Ａに底壁８５Ｂの裏面８５Ｒから突出するボス１９９Ａを挿通させ、治具１９０の基準端縁１９０Ｂをスキャナベース８５の段部１９９Ｂに当接させることにより、治具１９０がスキャナベース８５に対して精度良く位置決めされる。治具１９０がスキャナベース８５に装着された状態では、位置決め部１９１が開口部１７０から離間する位置にある。位置決め部１９１が開口部１７０から離間する距離は、ワイヤハーネスＷ１に必要とされる弛みＷ１Ｓの長さに応じて適宜設定される。例えば、本体部８に対して開閉部９を最も上昇させた際に、ワイヤハーネスＷ１が引っ張られることなく、また不要な撓みを生じない長さに設定される。
【００６３】
次に、図１５及び図１６に示すように、治具１９０の位置決め部１９１に保持部材１００を嵌め込む。この際、図１６に示すように、切り欠き形状の位置決め部１９１の奥側の角部１９１Ｃによって、保持部材１００の第３係合部１０３を当て止め、位置決め部１９１の互いに対向する側端縁１９１Ａ、１９１Ｂによって、保持部材１００を挟むことにより、保持部材１００が治具１９０に対して精度良く位置決めされる。
【００６４】
要するに、第１工程では、開閉部９が閉鎖位置にある状態で、保持部材１００とスキャナベース８５との間に治具１９０を介在させた状態で、保持部材１００を開口部１７０から離間する位置でスキャナベース８５に対して位置決めする。
【００６５】
＜第２工程＞
図１７に示すように、第２工程では、治具１９０を介在させた状態でスキャナベース８５に対して位置決めされた保持部材１００に、ワイヤハーネスＷ１を保持させる。この状態では、開閉部９の引き出し口９Ｈから引き出されたワイヤハーネスＷ１は、下向きに直線状に延びて、開口部１７０の周縁１７０Ｅに当たって屈曲する。そして、ワイヤハーネスＷ１は、前向きに直線状に延びて、保持部材１００の第１ガイド部１１０及び第２ガイド部１２０に保持される。
【００６６】
図示は省略するが、ワイヤハーネスＷ１を保持する保持部材１００を治具１９０の位置決め部１９１から離間させた後、治具１９０をスキャナベース８５から取り除く。
【００６７】
＜第３工程＞
図１８に示すように、第３工程では、ワイヤハーネスＷ１を保持する保持部材１００を開口部１７０に取り付ける。この際、保持部材１００の第２係合部１０２を開口部１７０側の第１係合部１７１に係合させた状態で、図１８に二点鎖線で示す位置から図１８に破線で示す位置まで、保持部材１００を係合軸心Ｘ１７１周りで揺動させることにより、保持部材１００が開口部１７０に取り付けられる。第２工程で開口部１７０から離間していた保持部材１００が開口部１７０に取り付けられることにより、第２工程で直線状に延びていたワイヤハーネスＷ１に弛みＷ１Ｓが確保される。すなわち、保持部材１００を開口部１７０に取り付ける位置に移動させることで、直線状に延びていたワイヤハーネスＷ１の部分が弛みＷ１Ｓを形成する。
【００６８】
第３工程が終了すると、次は、図６に示すように、本体部８が記録部７に組み付けられ、ワイヤハーネスＷ１の他端部Ｗ１Ｂが制御部Ｃ１に電気的に接続される。
【００６９】
＜作用効果＞
実施例の画像読取装置１では、図４、図６及び図１８等に示すように、ワイヤハーネスＷ１の弛みＷ１Ｓが本体部８内に収容され、本体部８の背面側に露出しない。このため、ワイヤハーネスＷ１が装置の外観を損ねることを抑制できる。
【００７０】
また、この画像読取装置１では、図８〜図１１等に示すように、開閉部９から引き出されたワイヤハーネスＷ１が導入部１５０から引き込まれ、収容部１６０内を通過して、開口部１７０から引き出される。そして、保持部材１００は、導入部１５０に下側から対向してスキャナベース８５の底壁８５Ｂの一部を構成する内壁８５Ｗに形成された開口部１７０に、底壁８５Ｂの裏面８５Ｒ側から取り付けられる。このため、図１５〜図１８に示す組付工程において、開閉部９が閉鎖位置にある状態で、開口部１７０に取り付けられていない状態の保持部材１００にワイヤハーネスＷ１を保持させた後、保持部材１００を開口部１７０に取り付けることができる。この際、開閉部９が閉鎖位置にあることにより、ワイヤハーネスＷ１の開閉部９から引き出される部位と本体部８との相対位置関係が変動し難いので、導入部１５０から引き込まれて収容部１６０内で確保されるワイヤハーネスＷ１の弛みＷ１Ｓの程度を容易かつ正確に調整できる。このため、ワイヤハーネスＷ１の弛みＷ１Ｓの程度が少なすぎたり、大きすぎたりする不具合が生じ難い。そして、開口部１７０に保持部材１００が取り付けられると、図８に示すように、保持部材１００は、第１ガイド部１１０によって、本体部８内の収容部１６０内でワイヤハーネスＷ１の弛みＷ１Ｓを特定方向Ｄ１に案内する。このため、図６及び図１８に示すように、ワイヤハーネスＷ１は、開閉部９の揺動及び昇降に応じて、収容部１６０内で弛みＷ１Ｓの程度が変化するだけである。その結果、この画像読取装置１では、弛みＷ１Ｓが小さすぎてワイヤハーネスＷ１が延び切った状態となって開閉部９の揺動及び昇降を妨げる不具合や、弛みＷ１Ｓが大きすぎてワイヤハーネスＷ１が開閉部９と本体部８とに挟まれる不具合が生じ難い。また、第１ガイド部１１０によって収容部１６０内においてワイヤハーネスＷ１が特定方向Ｄ１に案内されることにより、本体部８内でワイヤハーネスＷ１が捻じれたり、屈曲したりする不具合の発生を抑制できる。
【００７１】
したがって、実施例の画像読取装置１では、外観品位の向上を実現できるとともに、開閉部９の揺動及び昇降にワイヤハーネスＷ１を好適に追従させることができる。
【００７２】
また、この画像読取装置１では、内壁８９Ｗ、８５Ｗのうちの対向面８９Ｔから下側に最も離間し、内壁８５Ｗにおける導入部１５０に対向する位置に開口部１７０が設けられ、その開口部１７０に保持部材１００が取り付けられる。このため、収容部１６０の上下方向の長さを十分に確保することができ、ワイヤハーネスＷ１の弛みＷ１Ｓを収容部１６０内（本体部８内）に容易に収めることができる。さらに、この画像読取装置１では、開口部１７０と導入部１５０とが上下方向で連通しているので、開閉部９が閉鎖位置にある状態で、本体部８の対向面８９Ｔとは反対側から、すなわち、スキャナベース８５の底壁８５Ｂの裏面８５Ｒ側から、開口部１７０に保持部材１００を容易に取り付けることができる。
【００７３】
さらに、この画像読取装置１では、図８及び図１８等に示すように、保持部材１００に形成された第２係合部１０２が開口部１７０の周縁に形成された第１係合部１７１に係合することにより、保持部材１００が係合軸心Ｘ１７１周りに揺動可能に開口部１７０に取り付けられる。これにより、この画像読取装置１では、開口部１７０への保持部材１００の取り付け作業を容易に実施できる。
【００７４】
また、この画像読取装置１では、図６及び図８に示すように、制御部Ｃ１は、開口部１７０から前側に離間して配置されている。保持部材１００に形成された第２ガイド部１２０は、保持部材１００が開口部１７０に取り付けられた状態で、第２係合部１０２及び制御部Ｃ１から後側に離間する位置にある。開口部１７０の周縁１７０Ｆに形成された変形部１８０は、第１係合部１７１から後側に離間する位置にあって、係合軸心Ｘ１７１と略平行な左右方向に弾性変形可能である。保持部材１００は、係合軸心Ｘ１７１周りで揺動する途中で、変形部１８０に当接して変形部１８０を左右方向に弾性変形させる。そして、図９に示すように、保持部材１００は、開口部１７０に取り付けられる位置まで揺動すると、復帰した変形部１８０によって逆向きの揺動を規制され、第２ガイド部１２０によってワイヤハーネスＷ１を制御部Ｃ１に向けて案内する。この構成により、この画像読取装置１では、第２ガイド部１２０によって制御部Ｃ１に案内されるワイヤハーネスＷ１が引っ張られることによって保持部材１００に作用する力の方向、すなわち保持部材１００の後端側を下側かつ前側に変位させようとする力の方向と、変形部１８０の弾性変形の方向、すなわち、左右方向とが直交する。このため、保持部材１００の後端側がワイヤハーネスＷ１によって下側かつ前側に引っ張られても、変形部１８０による規制が外れ難く、その結果、保持部材１００自体が開口部１７０から外れる不具合が生じ難い。また、ワイヤハーネスＷ１が第２ガイド部１２０に案内されることにより、第２係合部１０２が第１係合部１７１に押し付けられるので、双方のがたつきが抑制される。
【００７５】
さらに、この画像読取装置１では、係合軸心Ｘ１７１は、揺動軸心Ｘ９と略平行である。開口部１７０及び制御部Ｃ１は、本体部８の左側を向く外面側に位置している。この構成により、この画像読取装置１では、本体部８の左側を向く外面側で、ワイヤハーネスＷ１の取り回しや、保持部材１００の取り付けを行えるので、本体部８の左側を向く外面の近傍に位置する領域、空間を有効に利用することができ、さらに、ワイヤハーネスＷ１や保持部材１００が本体部８内の他の収容部材と干渉し難い。
【００７６】
また、この画像読取装置１では、電気部品は、モータ４Ｍ及びセンサ４Ｓであり、ワイヤハーネスＷ１は、モータ４Ｍ及びセンサ４Ｓに接続される複数本の被覆電線が束ねられてなる。このため、ワイヤハーネスＷ１を容易に屈曲及び湾曲させ、弛みを確保することができる。そして、ワイヤハーネスＷ１の弛み方向である特定方向Ｄ１は、揺動軸心Ｘ９と略平行であって、本体部８の左側を向く外面側から中央部側に向かう方向である。このため、ワイヤハーネスＷ１の弛み部分は、本体部８及び開閉部９の左側を向く外面から離れる方向に向けられる。その結果、開閉部９の開閉時や昇降時に、ワイヤハーネスＷ１が本体部８と開閉部９との間に挟まれる不具合を確実に抑制できる。
【００７７】
さらに、この画像読取装置１では、第１ガイド部１１０に形成された規制部１１９により、ワイヤハーネスＷ１が開閉部９側に持ち上がることを規制するので、保持部材１００がワイヤハーネスＷ１を確実に保持できる。
【００７８】
また、実施例の画像読取装置１の製造方法によれば、図１５及び図１６に示すように、第１工程において、開閉部９が閉鎖位置にあることにより、ワイヤハーネスＷ１の開閉部９から引き出される部位と本体部８との相対位置関係が変動し難い。このため、第１工程において、ワイヤハーネスＷ１の開閉部９から引き出される部位と、本体部８に対して位置決めされた保持部材１００との相対位置関係もばらつき難い。そして、図１７に示すように、第２工程において、本体部８に対して位置決めされた保持部材１００に、弛みＷ１Ｓが無い状態のワイヤハーネスＷ１を保持させることにより、ワイヤハーネスＷ１の特定の部位を精度良く保持部材１００に保持させることができる。このため、図１８に示すように、第３工程において、ワイヤハーネスＷ１を保持する保持部材１００を開口部１７０に取り付けてワイヤハーネスＷ１の弛みＷ１Ｓを確保することにより、本体部８内の収容部１６０内でワイヤハーネスＷ１の弛みＷ１Ｓの長さを一定長に確保できる。その結果、この製造方法によって得られた画像読取装置１では、弛みＷ１Ｓが小さすぎてワイヤハーネスＷ１が延び切った状態となって開閉部９の揺動及び昇降を妨げる不具合や、弛みＷ１Ｓが大きすぎてワイヤハーネスＷ１が開閉部９と本体部８とに挟まれる不具合が生じ難い。
【００７９】
また、この製造方法によって得られた画像読取装置１では、上記従来技術と異なり、ワイヤハーネスＷ１の弛みＷ１Ｓ及び保持部材１００が本体部８の背面側に露出しない。
【００８０】
したがって、実施例の画像読取装置１の製造方法によれば、外観品位の向上を実現できるとともに、開閉部９の揺動及び昇降にワイヤハーネスＷ１を好適に追従させることができる。
【００８１】
また、この画像読取装置１の製造方法によれば、治具１９０を変更することで、ワイヤハーネスＷ１の弛みＷ１Ｓの程度を容易に調整できる。また、治具１９０が位置決め形状を備えることで、本体部８側に位置決め形状を作り込む必要がなくなるので、本体部８の複雑化を抑制できる。
【００８２】
以上において、本発明を実施例に即して説明したが、本発明は上記実施例に制限されるものではなく、その趣旨を逸脱しない範囲で適宜変更して適用できることはいうまでもない。
【００８３】
本発明に係る配線ケーブルは、実施例のワイヤハーネスＷ１に限定されない。例えば、配線ケーブルは、開閉部内に設けられる読取部や表示部等から引き出されるフレキシブルフラットケーブル等であってもよい。同様に、本発明に係る電気部品は、開閉部内に設けられる読取部や表示部等、搬送部に関係ないものであってもよい。
【００８４】
また、制御部Ｃ１は、開閉部９の外部であり、かつ本体部８の外部である記録部７内に収容されていたが、この構成には限定されない。制御部が本体部内、又は開閉部外に設けられる装置であれば、本発明を適用可能である。制御部が本体部内に設けられる場合、導入部から引き込まれ、本体部内の一部の領域を通過して開口部から引き出される配線ケーブルは、本体部内の別の領域に配設された制御部に接続される。
【００８５】
変形部１８０の位置は、上記実施例の位置に限定されるものではなく、開口部１７０の周縁１７０Ｆの他の位置でもよく、保持部材１００側に形成されてもよい。さらには、保持部材１００側と開口部１７０の周縁１７０Ｆの両方に変形部に相当する構成が形成されていてもよい。変形部１８０の変形する方向も、上記実施例の方向に限定されるものではない。
【００８６】
上記実施例では、導入部１５０と開口部１７０とが対向する位置に形成されていたが、設計可能な範囲で、両者がずれていても良い。また、収容部１６０は必須ではなく、ワイヤハーネスＷ1の弛みＷ１Ｓを確保し、収容可能であれば、収容部１６０の形状も上記内壁８９Ｗの形状に限定されるものではない。
【００８７】
実施例では、第１工程において、治具１９０を介在させた状態で、保持部材１００を本体部８に対して位置決めしているがこの構成には限定されない。例えば、第１工程において、保持部材を本体部に対して直接位置決めしてもよい。
【００８８】
本発明の画像読取装置は、図１９に示すドキュメントスキャナ２として具体化することができる。ドキュメントスキャナ２は、本体部２０８と開閉部２０９と搬送部２０４とを備えている。開閉部２０９は、図１９に二点鎖線で示すように、本体部２０８に対して、揺動軸心Ｘ２０９周りで揺動可能、かつ昇降可能に連結されている。搬送部２０４は、搬送経路Ｐ２に沿ってシートＳＨを搬送する。
【００８９】
本体部２０８は、プラテンガラス２８１Ａを支持しているとともに、プラテンガラス２８１Ａより下側に読取センサ２０３Ａを収容している。読取センサ２０３Ａは、プラテンガラス２８１Ａを介して、搬送経路Ｐ１に下側から臨む。本体部２０８内には、制御部Ｃ２が収容されている。
【００９０】
開閉部２０９は、プラテンガラス２８１Ｂを支持しているとともに、プラテンガラス２８１Ａより上側に読取センサ２０３Ｂを収容している。読取センサ２０３Ｂは、プラテンガラス２８１Ｂを介して、搬送経路Ｐ１に上側から臨む。
【００９１】
このような構成であるドキュメントスキャナ２にも、実施例に係るワイヤハーネスＷ１、導入部１５０、収容部１６０、開口部１７０、保持部材１００等と同様の構成を有する配線ケーブル、導入部、収容部、開口部、保持部材等を適用することができ、その結果、実施例の画像読取装置１と同様の作用効果を奏することができる。
【産業上の利用可能性】
【００９２】
本発明は画像読取装置、複合機等に利用可能である。
【符号の説明】
【００９３】
１、２…画像読取装置（２…ドキュメントスキャナ）
８、２０８…本体部、９、２０９…開閉部、８１Ａ…原稿支持面
３Ｓ、２０３Ａ、２０３Ｂ…読取部（読取センサ）、Ｘ９、Ｘ２０９…揺動軸心
ＳＨ…シート、Ｐ１、Ｐ２…搬送経路、４、２０４…搬送部
Ｗ１…配線ケーブル（ワイヤハーネス）
Ｗ１Ａ…配線ケーブル（ワイヤハーネス）の一端部
Ｗ１Ｂ…配線ケーブル（ワイヤハーネス）の他端部
Ｗ１Ｓ…配線ケーブル（ワイヤハーネス）の弛み
４Ｍ、４Ｓ…電気部品（４Ｍ…モータ、４Ｓ…センサ）、Ｃ１、Ｃ２…制御部
Ｅ１…周辺領域、８９Ｔ…対向面、１５０…導入部、８９Ｗ、８５Ｗ…内壁
１７０…開口部、１００…保持部材、Ｄ１…特定方向、１１０…第１ガイド部
Ｘ１７１…係合軸心、１７１…第１係合部、１０２…第２係合部
１２０…第２ガイド部、１７０Ｅ、１７０Ｆ…開口部の周縁、１８０…変形部
１１９…規制部、１９０…治具、８１、２８１Ａ、２８１Ｂ…プラテンガラス
【図１】
0006394198.tif 000002
【図２】
0006394198.tif 000003
【図３】
0006394198.tif 000004
【図４】
0006394198.tif 000005
【図５】
0006394198.tif 000006
【図６】
0006394198.tif 000007
【図７】
0006394198.tif 000008
【図８】
0006394198.tif 000009
【図９】
0006394198.tif 000010
【図１０】
0006394198.tif 000011
【図１１】
0006394198.tif 000012
【図１２】
0006394198.tif 000013
【図１３】
0006394198.tif 000014
【図１４】
0006394198.tif 000015
【図１５】
0006394198.tif 000016
【図１６】
0006394198.tif 000017
【図１７】
0006394198.tif 000018
【図１８】
0006394198.tif 000019
【図１９】
0006394198.tif 000020